(57)【要約】【課題】ＮＡＳ-ＧＢＲベアラごとに、ＡＳ-ＧＢＲベアラが切断された場合の切断タイミングを制御する。【解決手段】本発明に係る移動通信方法は、移動局ＵＥが、ＡＳ-ＧＢＲベアラにおけるＲＬＦを検出した場合に、ＧＢＲ切断用再接続待ちタイマーを起動し、ＡＳ-ＧＢＲベアラの復旧を検出する前に、ＧＢＲ切断用再接続待ちタイマーの満了を検出した場合に、ＡＳ-ＧＢＲベアラに係るＡＳベアラ情報を削除する工程と、移動局ＵＥが、ＡＳベアラ情報を削除した場合に、ＮＡＳ-ＧＢＲベアラ開放タイマーを起動し、ＮＡＳ-ＧＢＲベアラ開放タイマーの満了を検出した場合に、ＮＡＳ-ＧＢＲベアラに係るＮＡＳベアラ情報を削除する工程とを有する。【選択図】図１
2011066466.tif 000002
【特許請求の範囲】
【請求項１】
移動局と無線基地局との間で伝送速度保証型通信用の第１ベアラを設定し、該移動局と移動管理装置との間で伝送速度保証型通信用の第２ベアラを設定する工程と、
前記移動局が、前記第１ベアラにおける障害を検出した場合に、第１タイマーを起動する工程と、
前記移動局が、前記第１ベアラの復旧を検出する前に、前記第１タイマーの満了を検出した場合に、前記第１ベアラに係る情報を削除する工程と、
前記移動局が、前記第１ベアラに係る情報を削除した場合に、第２タイマーを起動する工程と、
前記移動局が、前記第２タイマーの満了を検出した場合に、前記第２ベアラに係る情報を削除する工程とを有することを特徴とする移動通信方法。
【請求項２】
前記移動管理装置が、前記移動局の位置登録処理において、該移動局に対して、前記第２タイマーを通知する工程を有することを特徴とする請求項１に記載の移動通信方法。
【請求項３】
前記無線基地局が、前記第１ベアラの設定処理において、前記移動局に対して、前記第２タイマーを通知する工程を有することを特徴とする請求項１に記載の移動通信方法。
【請求項４】
移動局と無線基地局との間で伝送速度保証型通信用の第１ベアラを設定し、該移動局と移動管理装置との間で伝送速度保証型通信用の第２ベアラを設定するように構成されている移動通信システムであって、
前記移動局は、
前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、
前記第１ベアラに係る情報を削除した場合に、第２タイマーを起動し、該第２タイマーの満了を検出した場合に、該第２ベアラに係る情報を削除するように構成されている第２レイヤ機能とを具備することを特徴とする移動通信システム。
【請求項５】
前記移動管理装置は、前記移動局の位置登録処理において、該移動局に対して、前記第２タイマーを通知するように構成されている移動局インターフェイスを具備することを特徴とする請求項４に記載の移動通信システム。
【請求項６】
前記無線基地局は、前記第１ベアラの設定処理において、前記移動局に対して、前記第２タイマーを通知するように構成されている移動局インターフェイスを具備することを特徴とする請求項４に記載の移動通信システム。
【請求項７】
無線基地局との間で伝送速度保証型通信用の第１ベアラを設定し、移動管理装置との間で伝送速度保証型通信用の第２ベアラを設定するように構成されている移動局であって、
前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、
前記第１ベアラに係る情報を削除した場合に、第２タイマーを起動し、該第２タイマーの満了を検出した場合に、該第２ベアラに係る情報を削除するように構成されている第２レイヤ機能とを具備することを特徴とする移動局。
【請求項８】
移動局との間で第２ベアラを設定するように構成されている移動管理装置であって、
移動局の位置登録処理において、該移動局に対して、伝送速度保証型通信毎のタイマーを通知するように構成されている移動局インターフェイスを具備し、
前記タイマーは、該タイマーに対応する伝送速度保証型通信用の第１ベアラに係る情報が前記移動局によって削除された際に起動されるように構成されていることを特徴とする移動管理装置。
【請求項９】
移動局との間で第１ベアラを設定するように構成されている無線基地局であって、
前記第１ベアラの設定処理において、前記移動局に対して、タイマーを通知するように構成されている移動局インターフェイスを具備し、
前記タイマーは、前記移動局によって前記第１ベアラにおける障害が検出された際に起動されるように構成されていることを特徴とする無線基地局。
【請求項１０】
移動局と無線基地局との間で伝送速度保証型通信用の第１ベアラを設定し、該移動局と移動管理装置との間で伝送速度保証型通信用の第２ベアラを設定する工程と、
前記移動局が、前記第１ベアラにおける障害を検出した場合に、第１タイマー及び第２タイマーを起動する工程と、
前記移動局が、前記第１ベアラの復旧を検出する前に、前記第１タイマーの満了を検出した場合に、前記第１ベアラに係る情報を削除する工程と、
前記移動局が、前記第１ベアラの復旧を検出する前に、前記第２タイマーの満了を検出した場合に、前記第２ベアラに係る情報を削除する工程とを有することを特徴とする移動通信方法。
【請求項１１】
前記無線基地局が、前記第１ベアラにおける障害を検出した場合に、前記第１タイマを起動する工程と、前記第１ベアラの復旧を検出する前に、前記第２タイマーの満了を検出した場合に、前記移動管理装置に対して、ベアラ開放通知を送信する工程と、
前記移動管理装置が、前記ベアラ開放通知に応じて、前記第２ベアラを開放する工程とを有することを特徴とする請求項１０に記載の移動通信方法。
【請求項１２】
無線基地局との間で伝送速度保証型通信用の第１ベアラを設定し、移動管理装置との間で伝送速度保証型通信用の第２ベアラを設定するように構成されている移動局であって、
前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、
前記第１ベアラにおける障害を検出した場合に、第２タイマーを起動し、該第１ベアラの復旧を検出する前に、該第２タイマーの満了を検出した場合に、該第２ベアラに係る情報を削除するように構成されている第２レイヤ機能とを具備することを特徴とする移動局。
【請求項１３】
前記第１レイヤ機能は、前記第１タイマーの満了を検出する前に、該第１ベアラの復旧を検出した場合に、前記第２レイヤ機能に対して、その旨を通知するように構成されており、
前記第２レイヤ機能は、前記第２タイマーの満了を検出する前に、前記通知を受信した場合、前記第２ベアラに係る情報を削除しないように構成されていることを特徴とする請求項１２に記載の移動局。
【請求項１４】
移動局との間で第２ベアラを設定するように構成されている移動管理装置であって、
無線基地局に対して、該無線基地局と前記移動局との間で設定されている第１ベアラにおける障害を検出した際に起動すべき伝送速度保証型通信毎のタイマーを通知するように構成されている無線基地局インターフェイスを具備することを特徴とする移動管理装置。
【請求項１５】
前記第１レイヤ機能は、前記第１ベアラにおける障害を検出した後、再接続先セルを発見した場合に、前記第２レイヤ機能に対して、停止指示を送信するように構成されており、
前記第２レイヤ機能は、前記第２タイマーの満了を検出する前に、前記停止指示を受信した場合に、該第２タイマーを一時停止するように構成されていることを特徴とする請求項１２に記載の移動局。
【請求項１６】
前記第１レイヤ機能は、前記第１ベアラにおける障害を検出し、再接続先セルを発見した後に、該再接続先セルへの再接続に失敗した場合に、前記第２レイヤ機能に対して、再開指示を送信するように構成されており、
前記第２レイヤ機能は、前記第２タイマーの満了を検出する前に、前記再開指示を受信した場合に、該第２タイマーを再開するように構成されていることを特徴とする請求項１５に記載の移動局。
【請求項１７】
前記第１レイヤ機能は、前記第１ベアラにおける障害を検出し、再接続先セルを発見した後に、該再接続先セルへの再接続に成功した場合に、前記第２レイヤ機能に対して、リセット指示を送信するように構成されており、
前記第２レイヤ機能は、前記第２タイマーの満了を検出する前に、前記リセット指示を受信した場合に、該第２タイマーをリセットするように構成されていることを特徴とする請求項１５に記載の移動局。
【発明の詳細な説明】
【技術分野】
【０００１】
本発明は、移動通信方法、移動通信システム、移動局、移動管理装置及び無線基地局に関する。
【背景技術】
【０００２】
図１５を参照して、ＥＰＣ（Ｅｖｏｌｖｅｄ  Ｐａｃｋｅｔ  Ｃｏｒｅ）ネットワークに収容されているＬＴＥ（Ｌｏｎｇ  Ｔｅｒｍ  Ｅｖｏｌｕｔｉｏｎ）方式の無線アクセスネットワークにおいて、移動局ＵＥと無線基地局ｅＮｏｄｅＢ＃１との間のＡＳ（Ａｃｃｅｓｓ  Ｓｔｒａｔｕｍ）-ＧＢＲ（Ｇｕａｒａｎｔｅｅｄ  Ｂｉｔ  Ｒａｔｅ）ベアラにおけるＲＬＦ（Ｒａｄｉｏ  Ｌｉｎｋ  Ｆａｉｌｕｒｅ）が発生した場合の動作について説明する。
【０００３】
図１５に示すように、ステップ１において、移動管理装置ＭＭＥ（Ｍｏｂｉｌｉｔｙ  Ｍａｎａｇｅｍｅｎｔ  Ｅｎｔｉｔｙ）と移動局ＵＥとの間で、ＮＡＳ（Ｎｏｎ  Ａｃｃｅｓｓ  Ｓｔｒａｔｕｍ）-ＧＢＲベアラを設定し、無線基地局ｅＮｏｄｅＢと移動局ＵＥとの間で、ＡＳ-ＧＢＲベアラを設定する。
【０００４】
ここで、ＮＡＳ-ＧＢＲベアラ及びＡＳ-ＧＢＲベアラは、ＧＢＲ型（伝送速度保証型）通信を行うためのベアラである。
【０００５】
ステップ２Ａにおいて、無線基地局ｅＮｏｄｅＢ＃１によって、ＡＳ-ＧＢＲベアラにおけるＲＬＦが検出され、かかるＡＳ-ＧＢＲベアラの再接続処理が失敗となった場合、ステップ３Ａにおいて、無線基地局ｅＮｏｄｅＢ＃１は、移動管理装置ＭＭＥに対して、かかるＡＳ-ＧＢＲベアラに対応するＮＡＳ-ＧＢＲベアラについて、無線基地局ｅＮｏｄｅＢ＃１においてＡＳ-ＧＢＲベアラが開放されたことを通知する。  ステップ４において、移動管理装置ＭＭＥとゲートウェイ装置Ｓ-ＧＷ（Ｓｅｒｖｉｎｇ-Ｇａｔｅｗａｙ）との間で、かかるＮＡＳ-ＧＢＲベアラの切断手順が行われる。
【０００６】
一方、ステップ２Ｂにおいて、移動局ＵＥによって、ＡＳ-ＧＢＲベアラにおけるＲＬＦが検出され、かかるＡＳ-ＧＢＲベアラの再接続処理が失敗となった場合、ステップ３Ｂにおいて、移動局ＵＥは、かかるＡＳ-ＧＢＲベアラに係るＡＳベアラ情報を削除する。
【先行技術文献】
【非特許文献】
【０００７】
【非特許文献１】３ＧＰＰ  ＴＳ３６.３３１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ-ＵＴＲＡ）  Ｒａｄｉｏ  Ｒｅｓｏｕｒｃｅ  Ｃｏｎｔｒｏｌ（ＲＲＣ）；Ｐｒｏｔｏｃｏｌ  ｓｐｅｃｉｆｉｃａｔｉｏｎ」
【非特許文献２】３ＧＰＰ  ＴＳ２３.４０１、「Ｇｅｎｅｒａｌ  Ｐａｃｋｅｔ  Ｒａｄｉｏ  Ｓｅｒｖｉｃｅ（ＧＰＲＳ）  ｅｎｈａｎｃｅｍｅｎｔｓ  ｆｏｒ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）  ａｃｃｅｓｓ」
【非特許文献３】３ＧＰＰ  ＴＳ２４.３０１、「Ｎｏｎ-Ａｃｃｅｓｓ-Ｓｔｒａｔｕｍ（ＮＡＳ）  ｐｒｏｔｏｃｏｌ  ｆｏｒ  Ｅｖｏｌｖｅｄ  Ｐａｃｋｅｔ  Ｓｙｓｔｅｍ（ＥＰＳ）；Ｓｔａｇｅ  ３」
【発明の概要】
【発明が解決しようとする課題】
【０００８】
しかしながら、上述の移動通信システムでは、移動局ＵＥによってＡＳ-ＧＢＲベアラにおけるＲＬＦが検出され、かかるＡＳ-ＧＢＲベアラの再接続処理が失敗となった場合に、ＮＡＳ-ＧＢＲベアラに係るＮＡＳベアラ情報を削除するタイミングについて規定されていない。
【０００９】
したがって、上述の移動通信システムでは、ＡＳ-ＧＢＲベアラが切断された場合にＮＡＳ-ＧＢＲベアラについても切断するＧＢＲ型通信と、ＡＳ-ＧＢＲベアラが切断された場合であってもＮＡＳ-ＧＢＲベアラについては切断しないＧＢＲ型通信とを区別して提供することができないという問題点があった。
【００１０】
そこで、本発明は、上述の課題に鑑みてなされたものであり、ＮＡＳ-ＧＢＲベアラごとに、ＡＳ-ＧＢＲベアラが切断された場合の切断タイミングを制御することができる移動通信方法、移動通信システム、移動局、移動管理装置及び無線基地局を提供することを目的とする。
【課題を解決するための手段】
【００１１】
本発明の第１の特徴は、移動通信方法であって、移動局と無線基地局との間で伝送速度保証型通信用の第１ベアラを設定し、該移動局と移動管理装置との間で伝送速度保証型通信用の第２ベアラを設定する工程と、前記移動局が、前記第１ベアラにおける障害を検出した場合に、第１タイマーを起動する工程と、前記移動局が、前記第１ベアラの復旧を検出する前に、前記第１タイマーの満了を検出した場合に、前記第１ベアラに係る情報を削除する工程と、前記移動局が、前記第１ベアラに係る情報を削除した場合に、第２タイマーを起動する工程と、前記移動局が、前記第２タイマーの満了を検出した場合に、前記第２ベアラに係る情報を削除する工程とを有することを要旨とする。
【００１２】
本発明の第２の特徴は、移動局と無線基地局との間で伝送速度保証型通信用の第１ベアラを設定し、該移動局と移動管理装置との間で伝送速度保証型通信用の第２ベアラを設定するように構成されている移動通信システムであって、前記移動局は、前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、前記第１ベアラに係る情報を削除した場合に、第２タイマーを起動し、該第２タイマーの満了を検出した場合に、該第２ベアラに係る情報を削除するように構成されている第２レイヤ機能とを具備することを要旨とする。
【００１３】
本発明の第３の特徴は、無線基地局との間で伝送速度保証型通信用の第１ベアラを設定し、移動管理装置との間で伝送速度保証型通信用の第２ベアラを設定するように構成されている移動局であって、前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、前記第１ベアラに係る情報を削除した場合に、第２タイマーを起動し、該第２タイマーの満了を検出した場合に、該第２ベアラに係る情報を削除するように構成されている第２レイヤ機能とを具備することを要旨とする。
【００１４】
本発明の第４の特徴は、移動局との間で第２ベアラを設定するように構成されている移動管理装置であって、移動局の位置登録処理において、該移動局に対して、伝送速度保証型通信毎のタイマーを通知するように構成されている移動局インターフェイスを具備し、前記タイマーは、該タイマーに対応する伝送速度保証型通信用の第１ベアラに係る情報が前記移動局によって削除された際に起動されるように構成されていることを要旨とする。
【００１５】
本発明の第５の特徴は、移動局との間で第１ベアラを設定するように構成されている無線基地局であって、前記第１ベアラの設定処理において、前記移動局に対して、タイマーを通知するように構成されている移動局インターフェイスを具備し、前記タイマーは、前記移動局によって前記第１ベアラにおける障害が検出された際に起動されるように構成されていることを要旨とする。
【００１６】
本発明の第６の特徴は、移動通信方法であって、移動局と無線基地局との間で伝送速度保証型通信用の第１ベアラを設定し、該移動局と移動管理装置との間で伝送速度保証型通信用の第２ベアラを設定する工程と、前記移動局が、前記第１ベアラにおける障害を検出した場合に、第１タイマー及び第２タイマーを起動する工程と、前記移動局が、前記第１ベアラの復旧を検出する前に、前記第１タイマーの満了を検出した場合に、前記第１ベアラに係る情報を削除する工程と、前記移動局が、前記第１ベアラの復旧を検出する前に、前記第２タイマーの満了を検出した場合に、前記第２ベアラに係る情報を削除する工程とを有することを要旨とする。
【００１７】
本発明の第７の特徴は、無線基地局との間で伝送速度保証型通信用の第１ベアラを設定し、移動管理装置との間で伝送速度保証型通信用の第２ベアラを設定するように構成されている移動局であって、前記第１ベアラにおける障害を検出した場合に、第１タイマーを起動し、該第１ベアラの復旧を検出する前に、該第１タイマーの満了を検出した場合に、該第１ベアラに係る情報を削除するように構成されている第１レイヤ機能と、前記第１ベアラにおける障害を検出した場合に、第２タイマーを起動し、該第１ベアラの復旧を検出する前に、該第２タイマーの満了を検出した場合に、該第２ベアラに係る情報を削除するように構成されている第２レイヤ機能とを具備することを要旨とする。
【００１８】
本発明の第８の特徴は、移動局との間で第２ベアラを設定するように構成されている移動管理装置であって、無線基地局に対して、該無線基地局と前記移動局との間で設定されている第１ベアラにおける障害を検出した際に起動すべき伝送速度保証型通信毎のタイマーを通知するように構成されている無線基地局インターフェイスを具備することを要旨とする。
【発明の効果】
【００１９】
以上説明したように、本発明によれば、ＮＡＳ-ＧＢＲベアラごとに、ＡＳ-ＧＢＲベアラが切断された場合の切断タイミングを制御することができる移動通信方法、移動通信システム、移動局、移動管理装置及び無線基地局を提供することができる。
【図面の簡単な説明】
【００２０】
【図１】本発明の第１の実施形態に係る移動通信システムの全体構成及び動作を説明するための図である。
【図２】本発明の第１の実施形態に係る移動管理装置の動作を説明するための図である。
【図３】本発明の第１の実施形態に係る移動管理装置によって送信される「Ａｔｔａｃｈ  Ｒｅｑｕｅｓｔ  Ａｃｃｅｐｔ」及び「Ｔｒａｃｋｉｎｇ  Ａｒｅａ  Ｕｐｄａｔｅ  Ａｃｃｅｐｔ」の情報要素について説明するための図である。
【図４】本発明の第１の実施形態に係る移動局の機能を説明するための図である。
【図５】本発明の第１の実施形態に係る移動管理装置の機能ブロック図である。
【図６】本発明の第１の実施形態に係る無線基地局の機能ブロック図である。
【図７】本発明の変更例１に係る移動通信システムの全体構成及び動作を説明するための図である。
【図８】本発明の変更例１に係る移動管理装置の動作を説明するための図である。
【図９】本発明の変更例１に係る移動管理装置によって送信される「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」の情報要素について説明するための図である。
【図１０】本発明の第２の実施形態に係る移動通信システムについて説明するための図である。
【図１１】本発明の第２の実施形態に係る移動通信システムについて説明するための図である。
【図１２】本発明の第２の実施形態に係る移動通信システムについて説明するための図である。
【図１３】本発明の第２の実施形態に係る移動通信システムについて説明するための図である。
【図１４】本発明の第３の実施形態に係る移動通信システムについて説明するための図である。
【図１５】従来の移動通信システムの動作を説明するための図である。
【発明を実施するための形態】
【００２１】
（本発明の第１の実施形態に係る移動通信システム）
図１乃至図６を参照して、本発明の第１の実施形態に係る移動通信システムについて説明する。
【００２２】
図１に示すように、本実施形態に係る移動通信システムは、ＬＴＥ方式の無線アクセスネットワークを収容するＥＰＣネットワークを具備する。具体的には、本実施形態に係る移動通信システムには、ゲートウェイ装置Ｓ-ＧＷや、移動管理装置ＭＭＥや、無線基地局ｅＮｏｄｅＢ＃１、＃２等が設けられている。
【００２３】
また、本実施形態に係る移動通信システムでは、移動局ＵＥと無線基地局ｅＮｏｄｅＢ＃１、＃２との間でＧＢＲ型（伝送速度保証型）通信用のＡＳ-ＧＢＲベアラ（第１ベアラ）が設定可能であり、移動局ＵＥと移動管理装置ＭＭＥとの間でＧＢＲ型通信用のＮＡＳ-ＧＢＲベアラ（第２ベアラ）が設定可能である。
【００２４】
ここで、移動局ＵＥは、かかるＡＳ-ＧＢＲベアラ及びＮＡＳ-ＧＢＲベアラを介して、ＧＢＲ型通信を行うように構成されている。
【００２５】
ＡＳ-ＧＢＲベアラが設定されている場合には、移動局ＵＥ及び無線基地局ｅＮｏｄｅＢは、かかるＡＳ-ＧＢＲベアラに係るＡＳベアラ情報を保持するように構成されている。
【００２６】
また、ＮＡＳ-ＧＢＲベアラが設定されている場合には、移動局ＵＥ、移動管理装置ＭＭＥ及びゲートウェイ装置Ｓ-ＧＷは、かかるＮＡＳ-ＧＢＲベアラに係るＮＡＳベアラ情報を保持するように構成されている。
【００２７】
ここで、図１を参照して、本実施形態に係る移動通信システムにおいて、移動局ＵＥと無線基地局ｅＮｏｄｅＢ＃１との間のＡＳ-ＧＢＲベアラにおけるＲＬＦが発生した場合の動作について説明する。
【００２８】
図１に示すように、ステップＳ１００１において、移動管理装置ＭＭＥは、移動局ＵＥの位置登録処理、例えば、移動局ＵＥのＡｔｔａｃｈ処理又はＴＡＵ（Ｔｒａｃｋｉｎｇ  Ａｒｅａ  Ｕｐｄａｔｅ）処理において、移動局ＵＥに対して、ＮＡＳ-ＧＢＲベアラ開放タイマー（第２タイマー）を通知する。
【００２９】
例えば、図２に示すように、移動管理装置ＭＭＥは、ステップＳ２０１において、移動局ＵＥから受信した「Ａｔｔａｃｈ  Ｒｅｑｕｅｓｔ」又は「ＴＡＵ  Ｒｅｑｕｅｓｔ」に応じて、ステップＳ２０２において、「Ａｔｔａｃｈ  Ａｃｃｅｐｔ」又は「ＴＡＵ  Ａｃｃｅｐｔ」によって、移動局ＵＥに対して、複数のＮＡＳ-ＧＢＲベアラ開放タイマーを含むＮＡＳ-ＧＢＲベアラ開放タイマーリストを送信する。
【００３０】
ここで、ＮＡＳ-ＧＢＲベアラ開放タイマーリストは、図２に示すように、ＱＣＩ（ＱｏＳ  Ｃｌａｓｓ  Ｉｄｅｎｔｉｆｉｅｒ）毎のＮＡＳ-ＧＢＲベアラ開放タイマー、すなわち、ＱＣＩによって特定されるＧＢＲ型通信毎のＮＡＳ-ＧＢＲベアラ開放タイマーを含むリストである。
【００３１】
なお、ＮＡＳ-ＧＢＲベアラ開放タイマーリストは、ＱＣＩの代わりに、移動管理装置ＭＭＥによって管理されている他の情報要素（例えば、アプリケーション固有の情報等）毎のＮＡＳ-ＧＢＲベアラ開放タイマー、すなわち、かかる情報要素によって特定されるＧＢＲ型通信毎のＮＡＳ-ＧＢＲベアラ開放タイマーを含むリストであってもよい。
【００３２】
図３（ａ）に、上述の「Ａｔｔａｃｈ  Ａｃｃｅｐｔ」に含まれる情報要素の一例について示し、図３（ｂ）に、上述の「ＴＡＵ  Ａｃｃｅｐｔ」に含まれる情報要素の一例について示す。
【００３３】
図３（ｃ）に示すように、「Ａｔｔａｃｈ  Ａｃｃｅｐｔ」及び「ＴＡＵ  Ａｃｃｅｐｔ」内の情報要素「ＧＢＲ  Ｂｅａｒｅｒ  Ｒｅｌｅａｓｅ  Ｔｉｍｅｒ  Ｌｉｓｔ」によって、上述のＮＡＳ-ＧＢＲベアラ開放タイマーリストが送信される。
【００３４】
ここで、移動管理装置ＭＭＥは、事前に設定されている局データや、加入者管理サーバ装置ＨＳＳ（Ｈｏｍｅ  Ｓｕｂｓｃｒｉｂｅｒ  Ｓｅｒｖｅｒ）から通知された加入者データ等に基づいて、通知すべきＮＡＳ-ＧＢＲベアラ開放タイマーリストを決定してもよい。
【００３５】
次に、図１に戻り、ステップＳ１００２において、移動管理装置ＭＭＥは、無線基地局ｅＮｏｄｅＢ＃１に対して、ＱＣＩ等のＱｏＳパラメータを含む「Ｅ‐ＲＡＢ  Ｓｅｔｕｐ  Ｒｅｑｕｅｓｔ」を送信する。
【００３６】
ステップＳ１００３において、無線基地局ｅＮｏｄｅＢ＃１は、「Ｅ‐ＲＡＢ  Ｓｅｔｕｐ  Ｒｅｑｕｅｓｔ」に含まれるＱｏＳパラメータに応じて、設定すべきＡＳ-ＧＢＲベアラに係るＧＢＲ型通信を特定し、かかるＧＢＲ型通信に対して適用すべきＧＢＲ切断用再接続待ちタイマー（ＡＳ-ＧＢＲ開放タイマー）を特定する。
【００３７】
ステップＳ１００４において、無線基地局ｅＮｏｄｅＢ＃１は、特定したＧＢＲ切断用再接続待ちタイマーを含む「ＲＲＣ  Ｃｏｎｎｅｃｔｉｏｎ  Ｒｅｃｏｎｆｉｇｕｒａｔｉｏｎ」を、移動局ＵＥに対して送信する。
【００３８】
これらの処理が行われることによって、かかるＧＢＲ型通信に係るベアラ（ＡＳ-ＧＢＲベアラ及びＮＡＳ-ＧＢＲベアラ）が設定され、移動局ＵＥ、移動管理装置ＭＭＥ及びゲートウェイ装置Ｓ-ＧＷが、かかるＮＡＳ-ＧＢＲベアラに係るＮＡＳベアラ情報を保持し、移動局ＵＥ及び無線基地局ｅＮｏｄｅＢ＃１が、かかるＡＳ-ＧＢＲベアラに係るＡＳベアラ情報を保持する。
【００３９】
その後、ステップＳ１００５において、かかるＡＳ-ＧＢＲベアラにおいてＲＬＦが検出されると、ステップＳ１００６において、移動局ＵＥ及び無線基地局ｅＮｏｄｅＢ＃１が、上述のＧＢＲ切断用再接続待ちタイマーを起動して、かかるＡＳ-ＧＢＲベアラの再接続処理を行う。
【００４０】
かかるＡＳ-ＧＢＲベアラの復旧が検出されることなく上述のＧＢＲ切断用再接続待ちタイマーが満了した場合、或いは、かかるＡＳ-ＧＢＲベアラの再接続処理が失敗した場合、移動局ＵＥは、ステップＳ１００７において、かかるＡＳ-ＧＢＲベアラに係るＡＳベアラ情報を削除する。
【００４１】
ここで、移動局ＵＥは、かかるＡＳベアラ情報を削除した場合に、上述のＮＡＳ-ＧＢＲベアラ開放タイマーリストから、上述のＧＢＲ型通信に対応するＮＡＳ-ＧＢＲベアラ開放タイマーを抽出し、抽出したＮＡＳ-ＧＢＲベアラ開放タイマーを起動する。
【００４２】
また、ステップＳ１００８において、無線基地局ｅＮｏｄｅＢ＃１は、移動局ＵＥとの間の上り無線リンクにおけるＲＬＦを検出した場合、或いは、上述のＧＢＲ切断用再接続待ちタイマーが満了した等の所定トリガを検出した場合に、かかるＡＳ-ＧＢＲベアラに係るＡＳベアラ情報を削除する。
【００４３】
ここで、無線基地局ｅＮｏｄｅＢ＃１によってＡＳベアラ情報が削除されるタイミングは、移動局ＵＥによってＡＳベアラ情報が削除されるタイミングと一致していなくてもよい。
【００４４】
ステップＳ１００９において、かかるＡＳ-ＧＢＲベアラの復旧が検出されることなく上述のＧＢＲ切断用再接続待ちタイマーが満了した場合、或いは、かかるＡＳ-ＧＢＲベアラの再接続処理が失敗した場合、無線基地局ｅＮｏｄｅＢ＃１は、移動管理装置ＭＭＥに対して、「Ｅ-ＲＡＢ  Ｒｅｌｅａｓｅ  Ｉｎｄｉｃａｔｉｏｎ」を送信する。
【００４５】
ステップＳ１０１０において、移動管理装置ＭＭＥは、受信した「Ｅ-ＲＡＢ  Ｒｅｌｅａｓｅ  Ｉｎｄｉｃａｔｉｏｎ」に応じて、ゲートウェイ装置Ｓ-ＧＷとの間で、「ＭＭＥ  ｉｎｉｔｉａｔｅｄ  Ｄｅｄｉｃａｔｅｄ  Ｂｅａｒｅｒ  Ｄｅａｃｔｉｖａｔｉｏｎ」を行うことによって、上述のＧＢＲ型通信に係るベアラ（ＮＡＳ-ＧＢＲベアラ）を削除する。ここで、上述のＧＢＲ型通信以外の通信（例えば、Ｎｏｎ-ＧＢＲ型通信）に係るベアラ（ＮＡＳベアラ）は、削除されないものとする。
【００４６】
なお、移動管理装置ＭＭＥは、「Ｅ-ＲＡＢ  Ｒｅｌｅａｓｅ  Ｉｎｄｉｃａｔｉｏｎ」を受信してから、ＮＡＳ-ＧＢＲベアラ開放タイマーに対応する時間だけ、ステップＳ１０１０の処理の開始を遅延させてもよい。
【００４７】
かかるＡＳ-ＧＢＲベアラの復旧が検出されることなく上述のＮＡＳ-ＧＢＲベアラ開放タイマーが満了した場合、ステップＳ１０１１において、移動局ＵＥは、上述のＮＡＳ-ＧＢＲベアラに係るＮＡＳベアラ情報を削除する。
【００４８】
図４に示すように、移動局ＵＥは、ＡＳレイヤ機能１１（第１レイヤ機能）と、ＮＡＳレイヤ機能１２（第２レイヤ機能）と、ＡＰＬ（Ａｐｐｌｉｃａｔｉｏｎ）レイヤ機能１３とを具備している。
【００４９】
以下、図４を参照して、ＡＳ-ＧＢＲベアラにおけるＲＬＦが発生した場合の移動局ＵＥの動作について具体的に説明する。
【００５０】
移動局ＵＥのＡＳレイヤ機能１１は、ＡＳ-ＧＢＲベアラにおけるＲＬＦを検出すると、上述のＧＢＲ切断用再接続待ちタイマーを起動して、かかるＡＳ-ＧＢＲベアラの再接続処理を行う。
【００５１】
その後、移動局ＵＥのＡＳレイヤ機能１１は、ステップＳ１０１において、ＡＳベアラ切断イベントを検出した場合、例えば、かかるＡＳ-ＧＢＲベアラの復旧が検出されることなく上述のＧＢＲ切断用再接続待ちタイマーが満了したことを検出した場合、或いは、かかるＡＳ-ＧＢＲベアラの再接続処理が失敗したことを検出した場合、ステップＳ１０２において、かかるＡＳ-ＧＢＲベアラに係るＡＳベアラ情報を削除し、移動局ＵＥのＮＡＳレイヤ機能１２に対して、ＡＳ-ＧＢＲベアラが切断されたことを通知する。
【００５２】
ステップＳ１０３において、移動局ＵＥのＮＡＳレイヤ機能１２は、上述の通知を受信すると、ＮＡＳ-ＧＢＲベアラ開放タイマーを起動する。
【００５３】
その後、移動局ＵＥのＮＡＳレイヤ機能１２は、ステップＳ１０４において、かかるＡＳ-ＧＢＲベアラの復旧が検出されることなく上述のＧＢＲ切断用再接続待ちタイマーが満了したことを検出した場合、ステップＳ１０５において、かかるＡＳ-ＧＢＲベアラに係るＮＡＳベアラ情報を削除し、ステップＳ１０６において、ＡＰＬレイヤ機能１３に対して、上述のＧＢＲ型通信に係るベアラが切断されたことを通知する。ＡＰＬレイヤ機能は、切断されたＧＢＲ型通信に対応するアプリケーションについて、通信終了処理等の適切な処理を実施する。
【００５４】
図５に示すように、移動管理装置ＭＭＥは、ＵＥインターフェイス２１と、ｅＮｏｄｅＢインターフェイス２２と、Ｓ-ＧＷインターフェイス２３と、ＮＡＳ-ＧＢＲベアラ開放タイマー決定部２４とを具備している。
【００５５】
ＵＥインターフェイス２１は、移動局ＵＥとの間のインターフェイスとして機能するものであり、ｅＮｏｄｅＢインターフェイス２２は、無線基地局ｅＮｏｄｅＢとの間のインターフェイスとして機能するものであり、Ｓ-ＧＷインターフェイス２３は、ゲートウェイ装置Ｓ-ＧＷとの間のインターフェイスとして機能するものである。
【００５６】
例えば、ＵＥインターフェイス２１は、移動局ＵＥのＡｔｔａｃｈ処理又はＴＡＵ処理において、移動局ＵＥに対して、ＧＢＲ型通信毎のＮＡＳ-ＧＢＲベアラ開放タイマー、すなわち、ＮＡＳ-ＧＢＲベアラ開放タイマーリストを通知するように構成されている。
【００５７】
また、ＵＥインターフェイス２１は、移動局ＵＥとの間で、ＮＡＳ-ＧＢＲベアラ等のＮＡＳベアラを設定して管理するように構成されている。
【００５８】
また、ｅＮｏｄｅＢインターフェイス２２は、無線基地局ｅＮｏｄｅＢに対して、ＱＣＩ等のＱｏＳパラメータを含む「Ｅ‐ＲＡＢ  Ｓｅｔｕｐ  Ｒｅｑｕｅｓｔ」を送信したり、無線基地局ｅＮｏｄｅＢから、「Ｅ-ＲＡＢ  Ｒｅｌｅａｓｅ  Ｉｎｄｉｃａｔｉｏｎ」を受信したりするように構成されている。
【００５９】
また、Ｓ-ＧＷインターフェイス２３は、ゲートウェイ装置Ｓ-ＧＷとの間で、「ＭＭＥ  ｉｎｉｔｉａｔｅｄ  Ｄｅｄｉｃａｔｅｄ  Ｂｅａｒｅｒ  Ｄｅａｃｔｉｖａｔｉｏｎ」を行うように構成されている。
【００６０】
ＮＡＳ-ＧＢＲベアラ開放タイマー決定部２４は、事前に移動管理装置ＭＭＥに設定された情報や加入者情報やＱＣＩで特定されるＧＢＲベアラ種別等により、移動局ＵＥへ通知すべき、１つ或いは複数のＮＡＳ-ＧＢＲベアラ開放タイマーを決定する。
【００６１】
図６に示すように、無線基地局ｅＮｏｄｅＢは、ＭＭＥインターフェイス３１と、ＵＥインターフェイス３２と、ＧＢＲ切断用再接続待ちタイマー決定部３３とを具備している。
【００６２】
ＭＭＥインターフェイス３１は、移動管理装置ＭＭＥとの間のインターフェイスとして機能するものであり、ＵＥインターフェイス３２は、移動局ＵＥとの間のインターフェイスとして機能するものである。
【００６３】
例えば、ＭＭＥインターフェイス３１は、移動管理装置ＭＭＥから、ＱＣＩ等のＱｏＳパラメータを含む「Ｅ‐ＲＡＢ  Ｓｅｔｕｐ  Ｒｅｑｕｅｓｔ」を受信したり、移動管理装置ＭＭＥに対して、「Ｅ-ＲＡＢ  Ｒｅｌｅａｓｅ  Ｉｎｄｉｃａｔｉｏｎ」を送信したりするように構成されている。
【００６４】
また、ＵＥインターフェイス３２は、移動局ＵＥとの間で、ＡＳ-ＧＢＲベアラ等のＡＳベアラを設定して管理するように構成されている。
【００６５】
ＧＢＲ切断用再接続待ちタイマー決定部３３は、事前に無線基地局ｅＮｏｄｅＢも設定された情報やＱＣＩで特定されるＧＢＲベアラ種別等により、ＡＳ-ＧＢＲベアラごとに移動局ＵＥへ通知すべきＧＢＲ切断用再接続待ちタイマーを決定する。
【００６６】
本発明の第１の実施形態に係る移動通信システムによれば、移動管理装置ＭＭＥが、移動局ＵＥに対して、ＧＢＲ型通信毎のＮＡＳ-ＧＢＲベアラ開放タイマーを含むＮＡＳ-ＧＢＲベアラ開放タイマーリストを送信することによって、各ＧＢＲベアラの切断タイミングを制御することができる。
【００６７】
（変更例１）
以下、図７を参照して、本発明の変更例１に係る移動通信システムについて、上述の第１の実施形態に係る移動通信システムとの相違点に着目して説明する。
【００６８】
図７を参照して、本変更例１に係る移動通信システムにおいて、移動局ＵＥと無線基地局ｅＮｏｄｅＢ＃１との間のＡＳ-ＧＢＲベアラにおけるＲＬＦが発生した場合の動作について説明する。
【００６９】
図７に示すように、ステップＳ２０００において、移動管理装置ＭＭＥは、ＧＢＲベアラの設定を検出すると、ＧＢＲベアラに設定されるＱＣＩ等のＱｏＳパラメータから、ＮＡＳ-ＧＢＲベアラ開放タイマーを特定する。
ステップＳ２００１において、移動管理装置ＭＭＥは、無線基地局ｅＮｏｄｅＢ＃１に対して、ＱＣＩ等のＱｏＳパラメータ及びＮＡＳ-ＧＢＲベアラ開放タイマーを含む「Ｅ‐ＲＡＢ  Ｓｅｔｕｐ  Ｒｅｑｕｅｓｔ」を送信する。
【００７０】
ステップＳ２００２において、無線基地局ｅＮｏｄｅＢ＃１は、「Ｅ‐ＲＡＢ  Ｓｅｔｕｐ  Ｒｅｑｕｅｓｔ」に含まれるＱｏＳパラメータに応じて、設定すべきＡＳ-ＧＢＲベアラに係るＧＢＲ型通信を特定し、かかるＧＢＲ型通信に対して適用すべきＧＢＲ切断用再接続待ちタイマーを特定する。
【００７１】
ステップＳ２００３において、無線基地局ｅＮｏｄｅＢ＃１は、特定したＧＢＲ切断用再接続待ちタイマー及び「Ｅ‐ＲＡＢ  Ｓｅｔｕｐ  Ｒｅｑｕｅｓｔ」に含まれていたＮＡＳ-ＧＢＲベアラ開放タイマーを含む「ＲＲＣ  Ｃｏｎｎｅｃｔｉｏｎ  Ｒｅｃｏｎｆｉｇｕｒａｔｉｏｎ」を、移動局ＵＥに対して送信する。
【００７２】
これらの処理が行われることによって、かかるＧＢＲ型通信に係るベアラ（ＡＳ-ＧＢＲベアラ及びＮＡＳ-ＧＢＲベアラ）が設定され、移動局ＵＥ、移動管理装置ＭＭＥ及びゲートウェイ装置Ｓ-ＧＷが、かかるＮＡＳ-ＧＢＲベアラに係るＮＡＳベアラ情報を保持し、移動局ＵＥ及び無線基地局ｅＮｏｄｅＢ＃１が、かかるＡＳ-ＧＢＲベアラに係るＡＳベアラ情報を保持する。
【００７３】
その後、ステップＳ２００４において、かかるＡＳ-ＧＢＲベアラにおいてＲＬが検出されると、ステップＳ２００５において、移動局ＵＥ及び無線基地局ｅＮｏｄｅＢ＃１が、上述のＧＢＲ切断用再接続待ちタイマーを起動して、かかるＡＳ-ＧＢＲベアラの再接続処理を行う。
【００７４】
かかるＡＳ-ＧＢＲベアラの復旧が検出されることなく上述のＧＢＲ切断用再接続待ちタイマーが満了した場合、或いは、かかるＡＳ-ＧＢＲベアラの再接続処理が失敗した場合、移動局ＵＥは、ステップＳ２００６において、かかるＡＳ-ＧＢＲベアラに係るＡＳベアラ情報を削除する。
【００７５】
ここで、移動局ＵＥは、かかるＡＳベアラ情報を削除した場合に、「ＲＲＣ  Ｃｏｎｎｅｃｔｉｏｎ  Ｒｅｃｏｎｆｉｇｕｒａｔｉｏｎ」によって通知されたＮＡＳ-ＧＢＲベアラ開放タイマーを起動する。
【００７６】
また、ステップＳ２００７において、無線基地局ｅＮｏｄｅＢ＃１は、移動局ＵＥとの間の上り無線リンクにおけるＲＬＦを検出した場合、或いは、上述のＧＢＲ切断用再接続待ちタイマーが満了した等の所定トリガを検出した場合に、かかるＡＳ-ＧＢＲベアラに係るＡＳベアラ情報を削除する。
【００７７】
ここで、無線基地局ｅＮｏｄｅＢ＃１によってＡＳベアラ情報が削除されるタイミングは、移動局ＵＥによってＡＳベアラ情報が削除されるタイミングと一致していなくてもよい。
【００７８】
ステップＳ２００８において、かかるＡＳ-ＧＢＲベアラの復旧が検出されることなく上述のＧＢＲ切断用再接続待ちタイマーが満了した場合、或いは、かかるＡＳ-ＧＢＲベアラの再接続処理が失敗した場合、無線基地局ｅＮｏｄｅＢ＃１は、移動管理装置ＭＭＥに対して、「Ｅ-ＲＡＢ  Ｒｅｌｅａｓｅ  Ｉｎｄｉｃａｔｉｏｎ」を送信する。
【００７９】
ステップＳ２００９において、移動管理装置ＭＭＥは、受信した「Ｅ-ＲＡＢ  Ｒｅｌｅａｓｅ  Ｉｎｄｉｃａｔｉｏｎ」に応じて、ゲートウェイ装置Ｓ-ＧＷとの間で、「ＭＭＥ  ｉｎｉｔｉａｔｅｄ  Ｄｅｄｉｃａｔｅｄ  Ｂｅａｒｅｒ  Ｄｅａｃｔｉｖａｔｉｏｎ」を行うことによって、上述のＧＢＲ型通信に係るベアラ（ＮＡＳ-ＧＢＲベアラ）を削除する。ここで、上述のＧＢＲ型通信以外の通信（例えば、Ｎｏｎ-ＧＢＲ型通信）に係るベアラ（ＮＡＳベアラ）は、削除されないものとする。
【００８０】
なお、移動管理装置ＭＭＥは、「Ｅ-ＲＡＢ  Ｒｅｌｅａｓｅ  Ｉｎｄｉｃａｔｉｏｎ」を受信してから、ＮＡＳ-ＧＢＲベアラ開放タイマーに対応する時間だけ、ステップＳ２００９の処理の開始を遅延させてもよい。
【００８１】
かかるＡＳ-ＧＢＲベアラの復旧が検出されることなく上述のＮＡＳ-ＧＢＲベアラ開放タイマーが満了した場合、ステップＳ２０１０において、移動局ＵＥは、上述のＮＡＳ-ＧＢＲベアラに係るＮＡＳベアラ情報を削除する。ＡＰＬレイヤ機能は、切断されたＧＢＲ型通信に対応するアプリケーションについて、通信終了処理等の適切な処理を実施する。
【００８２】
本変更例１に係る移動通信システムによれば、移動管理装置ＭＭＥが、移動局ＵＥに対して、設定すべきＧＢＲベアラに対応するＮＡＳ-ＧＢＲベアラ開放タイマーを送信することによって、各ＧＢＲベアラの切断タイミングを制御することができる。
【００８３】
ここで、図８に示すように、ＮＡＳ-ＧＢＲベアラ開放タイマーは、ステップＳ３０１（ステップＳ２００１及びＳ２００３に対応）において、「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」によって、移動管理装置ＭＭＥから移動局ＵＥに対して送信されるように構成されている。
【００８４】
なお、移動局ＵＥは、ステップＳ３０２において、移動管理装置ＭＭＥから受信した「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」に応じて、移動管理装置ＭＭＥに対して、「Ａｃｔｉｖａｔｅ  ｄｅｄｉｃａｔｅｄ  ＥＰＳ  ｂｅａｒｅｒ  ｃｏｎｔｅｘｔ  ａｃｃｅｐｔ」を送信する。
【００８５】
図９に、上述の「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」に含まれる情報要素の一例について示す。
【００８６】
ここで、図３（ｃ）及び図９に示すように、「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」内の情報要素「ＧＢＲ  Ｂｅａｒｅｒ  Ｒｅｌｅａｓｅ  Ｔｉｍｅｒ」によって、上述のＮＡＳ-ＧＢＲベアラ開放タイマーが送信される。
【００８７】
なお、「Ａｃｔｉｖａｔｅ  ｄｅｄｉｃａｔｅｄ  ＥＰＳ  ｂｅａｒｅｒ  ｃｏｎｔｅｘｔ  ｒｅｑｕｅｓｔ」は、「Ｅ‐ＲＡＢ  Ｓｅｔｕｐ  Ｒｅｑｕｅｓｔ」及び「ＲＲＣ  Ｃｏｎｎｅｃｔｉｏｎ  Ｒｅｃｏｎｆｉｇｕｒａｔｉｏｎ」に含まれるＮＡＳメッセージである。
【００８８】
以上に述べた本実施形態の特徴は、以下のように表現されていてもよい。
【００８９】
本実施形態の第１の特徴は、移動通信方法であって、移動局ＵＥと無線基地局ｅＮｏｄｅＢとの間でＧＢＲ型（伝送速度保証型）通信用のＡＳ-ＧＢＲベアラ（第１ベアラ）を設定し、移動局ＵＥと移動管理装置ＭＭＥとの間でＧＢＲ型（伝送速度保証型）通信用のＮＡＳ-ＧＢＲベアラ（第２ベアラ）を設定する工程と、移動局ＵＥが、ＡＳ-ＧＢＲベアラにおけるＲＬＦ（第１ベアラにおける障害）を検出した場合に、ＧＢＲ切断用再接続待ちタイマー（第１タイマー）を起動する工程と、移動局ＵＥが、ＡＳ-ＧＢＲベアラの復旧を検出する前に、ＧＢＲ切断用再接続待ちタイマーの満了を検出した場合に、ＡＳベアラ情報（第１ベアラに係る情報）を削除する工程と、移動局ＵＥが、ＡＳベアラ情報を削除した場合に、ＮＡＳ-ＧＢＲベアラ開放タイマー（第２タイマー）を起動する工程と、移動局ＵＥが、ＮＡＳ-ＧＢＲベアラ開放タイマーの満了を検出した場合に、ＮＡＳベアラ情報（第２ベアラに係る情報）を削除する工程とを有することを要旨とする。
【００９０】
本実施形態の第１の特徴において、移動管理装置ＭＭＥが、移動局ＵＥのＡｔｔａｃｈ処理又はＴＡＵ処理（位置登録処理）において、移動局ＵＥに対して、ＮＡＳ-ＧＢＲベアラ開放タイマーを通知する工程を有してもよい。
【００９１】
本実施形態の第１の特徴において、無線基地局ｅＮｏｄｅＢが、ＡＳ-ＧＢＲベアラの設定処理において、移動局ＵＥに対して、ＮＡＳ-ＧＢＲベアラ開放タイマーを通知する工程を有してもよい。
【００９２】
本実施形態の第２の特徴は、移動局ＵＥと無線基地局ｅＮｏｄｅＢとの間でＡＳ-ＧＢＲベアラを設定し、移動局ＵＥと移動管理装置ＭＭＥとの間でＮＡＳ-ＧＢＲベアラを設定するように構成されている移動通信システムであって、移動局ＵＥは、ＡＳ-ＧＢＲベアラにおけるＲＬＦを検出した場合に、ＧＢＲ切断用再接続待ちタイマーを起動し、ＡＳ-ＧＢＲベアラの復旧を検出する前に、ＧＢＲ切断用再接続待ちタイマーの満了を検出した場合に、ＡＳベアラ情報を削除するように構成されているＡＳレイヤ機能１１（第１レイヤ機能）と、ＡＳベアラ情報を削除した場合に、ＮＡＳ-ＧＢＲベアラ開放タイマーを起動し、ＮＡＳ-ＧＢＲベアラ開放タイマーの満了を検出した場合に、ＮＡＳベアラ情報を削除するように構成されているＮＡＳレイヤ機能１２（第２レイヤ機能）とを具備することを要旨とする。
【００９３】
本実施形態の第２の特徴において、移動管理装置ＭＭＥは、移動局ＵＥのＡｔｔａｃｈ処理又はＴＡＵ処理において、移動局ＵＥに対して、ＮＡＳ-ＧＢＲベアラ開放タイマーを通知するように構成されているＵＥインターフェイス２１（移動局インターフェイス）を具備してもよい。
【００９４】
本実施形態の第２の特徴において、無線基地局ｅＮｏｄｅＢは、ＡＳ-ＧＢＲベアラの設定処理において、移動局ＵＥに対して、ＮＡＳ-ＧＢＲベアラ開放タイマーを通知するように構成されているＵＥインターフェイス３２（移動局インターフェイス）を具備してもよい。
【００９５】
本実施形態の第３の特徴は、無線基地局ｅＮｏｄｅＢとの間でＡＳ-ＧＢＲベアラを設定し、移動管理装置ＭＭＥとの間でＮＡＳ-ＧＢＲベアラを設定するように構成されている移動局ＵＥであって、ＡＳ-ＧＢＲベアラにおけるＲＬＦを検出した場合に、ＧＢＲ切断用再接続待ちタイマーを起動し、ＡＳ-ＧＢＲベアラの復旧を検出する前に、ＧＢＲ切断用再接続待ちタイマーの満了を検出した場合に、ＡＳベアラ情報を削除するように構成されているＡＳレイヤ機能１１と、ＡＳベアラ情報を削除した場合に、ＮＡＳ-ＧＢＲベアラ開放タイマーを起動し、ＮＡＳ-ＧＢＲベアラ開放タイマーの満了を検出した場合に、ＮＡＳベアラ情報を削除するように構成されているＮＡＳレイヤ機能１２とを具備することを要旨とする。
【００９６】
本実施形態の第４の特徴は、移動局ＵＥとの間でＮＡＳ-ＧＢＲベアラを設定するように構成されている移動管理装置ＭＭＥであって、移動局ＵＥのＡｔｔａｃｈ処理又はＴＡＵ処理において、移動局ＵＥに対して、ＧＢＲ型通信毎のＮＡＳ-ＧＢＲベアラ開放タイマーを通知するように構成されているＵＥインターフェイス２１を具備し、ＮＡＳ-ＧＢＲベアラ開放タイマーは、ＮＡＳ-ＧＢＲベアラ開放タイマーに対応するＡＳベアラ情報が移動局ＵＥによって削除された際に起動されるように構成されていることを要旨とする。
【００９７】
本実施形態の第５の特徴は、移動局ＵＥとの間でＡＳ-ＧＢＲベアラを設定するように構成されている無線基地局ｅＮｏｄｅＢであって、ＡＳ-ＧＢＲベアラの設定処理において、移動局ＵＥに対して、ＮＡＳ-ＧＢＲベアラ開放タイマーを通知するように構成されているＵＥインターフェイス３２を具備し、ＮＡＳ-ＧＢＲベアラ開放タイマーは、移動局ＵＥによってＡＳ-ＧＢＲベアラにおけるＲＬＦが検出された際に起動されるように構成されていてもよい。
【００９８】
（本発明の第２の実施形態に係る移動通信システム）
図１０乃至図１３を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００９９】
図１０に示すように、本発明の第２の実施形態に係る移動通信システムでは、移動局ＵＥは、ステップＳ４０１において、ＡＳ-ＧＢＲベアラの品質劣化を検出すると、タイマーＴ３１０を起動し、ステップＳ４０２において、タイマーＴ３１０の満了に伴い、ＡＳ-ＧＢＲベアラにおけるＲＬＦを検出する。
【０１００】
移動局ＵＥは、ＡＳ-ＧＢＲベアラにおけるＲＬＦを検出すると、ＧＢＲ切断用再接続待ちタイマー（ＡＳ-ＧＢＲ開放タイマー）Ｔ３１１及びＮＡＳ-ＧＢＲ開放タイマーを起動する。
【０１０１】
ステップＳ４０３において、移動局ＵＥは、ＡＳ-ＧＢＲベアラの復旧を検出する前に、ＮＡＳ-ＧＢＲベアラ開放タイマーの満了を検出した場合に、ＮＡＳ-ＧＢＲベアラを開放する、すなわち、ＮＡＳベアラ情報を削除する。
【０１０２】
ステップＳ４０４において、移動局ＵＥは、ＡＳ-ＧＢＲベアラの復旧を検出する前に、ＧＢＲ切断用再接続待ちタイマー（ＡＳ-ＧＢＲ開放タイマー）Ｔ３１１の満了を検出した場合に、ＡＳ-ＧＢＲベアラを開放する、すなわち、ＡＳベアラ情報を削除し、移動局ＵＥは、ＲＲＣ_ＣＯＮＮＥＣＴＥＤ状態からＲＲＣ_ＩＤＬＥ状態に遷移する。
【０１０３】
その後、移動局ＵＥは、ステップＳ４０５において、通信可能なセルを発見した場合、タイマーＴ３００を起動し、タイマーＴ３００が満了した際に、ＲＲＣ_ＣＯＮＮＥＣＴＥＤ状態に遷移し、ステップＳ４０６において、ＮＡＳ  ｒｅｃｏｖｅｒｙ処理を行う。
【０１０４】
一方、無線基地局ｅＮｏｄｅＢは、ステップＳ４１０において、ＡＳ-ＧＢＲベアラにおけるＲＬＦを検出すると、ＧＢＲ切断用再接続待ちタイマー（ＡＳ-ＧＢＲ開放タイマー）を起動する。
【０１０５】
ステップＳ４１１において、無線基地局ｅＮｏｄｅＢは、移動局ＵＥは、ＡＳ-ＧＢＲベアラの復旧を検出する前に、ＧＢＲ切断用再接続待ちタイマー（ＡＳ-ＧＢＲ開放タイマー）の満了を検出した場合に、移動管理装置ＭＭＥに対して、その旨を示す通知「Ｅ-ＲＡＢ  Ｒｅｌｅａｓｅ  Ｉｎｄｉｃａｔｉｏｎ」又は「Ｓ１  Ｃｏｎｔｅｘｔ  Ｒｅｌｅａｓｅ  Ｒｅｑｕｅｓｔ」を送信し、再接続待ちタイマーを起動する。
【０１０６】
その後、無線基地局ｅＮｏｄｅＢは、移動局ＵＥは、ＡＳ-ＧＢＲベアラの復旧を検出する前に、再接続待ちタイマーの満了を検出した場合に、移動管理装置ＭＭＥとの間のＳ１コネクションを開放する。
【０１０７】
また、図１１に示すように、本発明の第２の実施形態に係る移動通信システムでは、移動局ＵＥのＡＳレイヤ機能１１が、ステップＳ５０１において、ＡＳ-ＧＢＲベアラの品質劣化を検出すると、タイマーＴ３１０を起動し、ステップＳ５０２において、タイマーＴ３１０の満了に伴い、ＡＳ-ＧＢＲベアラにおけるＲＬＦを検出し、その旨を、移動局ＵＥのＮＡＳレイヤ機能１２に通知するように構成されている。
【０１０８】
ここで、移動局ＵＥのＡＳレイヤ機能１１は、ＡＳ-ＧＢＲベアラにおけるＲＬＦを検出すると、ＧＢＲ切断用再接続待ちタイマー（ＡＳ-ＧＢＲ開放タイマー）Ｔ３１１を起動するように構成されている。
【０１０９】
一方、ステップＳ５０３において、移動局ＵＥのＮＡＳレイヤ機能１２は、ステップＳ５０２における移動局ＵＥのＡＳレイヤ機能１１からの通知に応じて、ＮＡＳ-ＧＢＲ開放タイマーを起動するように構成されている。
【０１１０】
その後、ステップＳ５０４において、移動局ＵＥのＡＳレイヤ機能１１は、ＧＢＲ切断用再接続待ちタイマー（ＡＳ-ＧＢＲ開放タイマー）Ｔ３１１が満了する前に、ＡＳ-ＧＢＲベアラの復旧を検出すると、その旨を、移動局ＵＥのＮＡＳレイヤ機能１２に通知するように構成されている。
【０１１１】
ここで、移動局ＵＥのＮＡＳレイヤ機能１２は、ＮＡＳ-ＧＢＲベアラ開放タイマーの満了を検出する前に、ステップＳ５０４における移動局ＵＥのＡＳレイヤ機能１１からの通知を受信すると、ＮＡＳ-ＧＢＲ開放タイマーを停止し、ＮＡＳ-ＧＢＲベアラを開放しないように構成されている。
【０１１２】
次に、図１２を参照して、本実施形態に係る移動通信システムにおいてＧＢＲベアラを設定する際の動作について説明する。
【０１１３】
図１２に示すように、ステップＳ６０１において、移動管理装置ＭＭＥは、無線基地局ｅＮｏｄｅＢに対して、ＱＣＩ等のＱｏＳパラメータやＮＡＳ-ＧＢＲベアラ開放タイマーやＡＳ-ＧＢＲベアラ開放タイマー等を含む「Ｂｅａｒｅｒ  Ｓｅｔｕｐ  Ｒｅｑｕｅｓｔ」を送信する。
【０１１４】
ステップＳ６０２において、無線基地局ｅＮｏｄｅＢは、移動局ＵＥに対して、ＮＡＳ-ＧＢＲベアラ開放タイマー等を含む「ＲＲＣ  Ｃｏｎｎｃｔｉｏｎ  Ｒｅｃｏｎｆｉｇｕｒａｔｉｏｎ」を送信する。
【０１１５】
次に、図１３を参照して、本実施形態に係る移動通信システムにおいて無線基地局ｅＮｏｄｅＢがＡＳ-ＧＢＲベアラにおけるＲＬＦを検出した際の動作について説明する。
【０１１６】
図１３に示すように、ステップＳ７０１において、無線基地局ｅＮｏｄｅＢは、ＡＳ-ＧＢＲベアラにおけるＲＬＦを検出すると、ＡＳ-ＧＢＲベアラ開放タイマーを起動する。
【０１１７】
ステップＳ７０２において、無線基地局ｅＮｏｄｅＢは、ＡＳ-ＧＢＲベアラの復旧を検出する前に、ＡＳ-ＧＢＲベアラ開放タイマーの満了を検出すると、移動管理装置ＭＭＥに対して、その旨を示すベアラ開放通知を送信する。
【０１１８】
ステップＳ７０３において、移動管理装置ＭＭＥは、無線基地局ｅＮｏｄｅＢからベアラ開放通知を受信すると、即座にＮＡＳ-ＧＢＲベアラを開放する。
【０１１９】
本実施形態に係る移動通信システムによれば、無線基地局ｅＮｏｄｅＢによって起動されるＡＳ-ＧＢＲベアラ開放タイマーと、移動局ＵＥによって起動されるＡＳ-ＧＢＲベアラ開放タイマーとを同じ値とした場合には、ＡＳ-ＧＢＲベアラにおけるＲＬＦが検出された際に、移動局ＵＥにおけるＮＡＳ-ＧＢＲの開放処理と移動管理装置ＭＭＥにおけるＮＡＳ-ＧＢＲの開放処理とを近いタイミングで行うことが可能となるため、移動局ＵＥのアプリケーションの終了とほぼ同時に、ネットワークにおけるＧＢＲベアラの課金を終了させることができる。
【０１２０】
以上に述べた本実施形態の特徴は、以下のように表現されていてもよい。
【０１２１】
本実施形態の第１の特徴は、移動通信方法であって、移動局ＵＥと無線基地局ｅＮｏｄｅＢとの間でＧＢＲ型通信用のＡＳ-ＧＢＲベアラを設定し、移動局ＵＥと移動管理装置ＭＭＥとの間でＧＢＲ型通信用のＮＡＳ-ＧＢＲベアラを設定する工程と、移動局ＵＥが、ＡＳ-ＧＢＲベアラにおけるＲＬＦを検出した場合に、ＧＢＲ切断用再接続待ちタイマー（ＡＳ-ＧＢＲ開放タイマー）及びＮＡＳ-ＧＢＲ開放タイマー）を起動する工程と、移動局ＵＥが、ＡＳ-ＧＢＲベアラの復旧を検出する前に、ＧＢＲ切断用再接続待ちタイマーの満了を検出した場合に、ＡＳベアラ情報を削除する工程と、移動局ＵＥが、ＡＳ-ＧＢＲベアラの復旧を検出する前に、ＮＡＳ-ＧＢＲベアラ開放タイマーの満了を検出した場合に、ＮＡＳベアラ情報を削除する工程とを有することを要旨とする。
【０１２２】
本実施形態の第１の特徴において、無線基地局ｅＮｏｄｅＢが、ＡＳ-ＧＢＲベアラにおけるＲＬＦを検出した場合に、ＧＢＲ切断用再接続待ちタイマー（ＡＳ-ＧＢＲ開放タイマー）を起動する工程と、ＡＳ-ＧＢＲベアラの復旧を検出する前に、ＮＡＳ-ＧＢＲベアラ開放タイマーの満了を検出した場合に、移動管理装置ＭＭＥに対して、ベアラ開放通知を送信する工程と、移動管理装置ＭＭＥが、ベアラ開放通知に応じて、ＮＡＳ-ＧＢＲベアラを開放する工程とを有してもよい。
【０１２３】
本実施形態の第２の特徴は、無線基地局ｅＮｏｄｅＢとの間でＡＳ-ＧＢＲベアラを設定し、移動管理装置ＭＭＥとの間でＮＡＳ-ＧＢＲベアラを設定するように構成されている移動局ＵＥであって、ＡＳ-ＧＢＲベアラにおけるＲＬＦを検出した場合に、ＧＢＲ切断用再接続待ちタイマー（ＡＳ-ＧＢＲ開放タイマー）を起動し、ＡＳ-ＧＢＲベアラの復旧を検出する前に、ＧＢＲ切断用再接続待ちタイマーの満了を検出した場合に、ＡＳベアラ情報を削除するように構成されているＡＳレイヤ機能１１と、ＡＳ-ＧＢＲベアラにおけるＲＬＦを検出した場合に、ＮＡＳ-ＧＢＲベアラ開放タイマーを起動し、ＡＳ-ＧＢＲベアラの復旧を検出する前に、ＮＡＳ-ＧＢＲベアラ開放タイマーの満了を検出した場合に、ＮＡＳベアラ情報を削除するように構成されているＮＡＳレイヤ機能１２とを具備することを要旨とする。
【０１２４】
本実施形態の第２の特徴において、ＡＳレイヤ機能１１は、ＧＢＲ切断用再接続待ちタイマーの満了を検出する前に、ＡＳ-ＧＢＲベアラの復旧を検出した場合に、ＮＡＳレイヤ機能１２に対して、その旨を通知するように構成されており、ＮＡＳレイヤ機能１２は、ＮＡＳ-ＧＢＲベアラ開放タイマーの満了を検出する前に、上述の通知を受信した場合、ＮＡＳ-ＧＢＲベアラに係る情報を削除しないように構成されていてもよい。
【０１２５】
本実施形態の第３の特徴は、移動局ＵＥとの間でＮＡＳベアラを設定するように構成されている移動管理装置ＭＭＥであって、無線基地局ｅＮｏｄｅＢに対して、無線基地局ｅＮｏｄｅＢと移動局ＵＥとの間で設定されているＡＳベアラにおけるＲＬＦを検出した際に起動すべきＡＳ-ＧＢＲ開放タイマーを通知するように構成されているｅＮｏｄｅＢインターフェイス２２を具備することを要旨とする。
【０１２６】
（本発明の第３の実施形態に係る移動通信システム）
図１４を参照して、本発明の第３の実施形態に係る移動通信システムについて説明する。以下、本発明の第３の実施形態に係る移動通信システムについて、上述の第１及び第２の実施形態に係る移動通信システムとの相違点に着目して説明する。
【０１２７】
図１４に示すように、本発明の第３の実施形態に係る移動通信システムでは、移動局ＵＥのＡＳレイヤ機能１１が、ステップＳ８０１において、ＡＳ-ＧＢＲベアラの品質劣化を検出すると、タイマーＴ３１０を起動し、ステップＳ８０２において、タイマーＴ３１０の満了に伴い、ＡＳ-ＧＢＲベアラにおけるＲＬＦを検出し、その旨を、移動局ＵＥのＮＡＳレイヤ機能１２に通知するように構成されている。
【０１２８】
ここで、移動局ＵＥのＡＳレイヤ機能１１は、ＡＳ-ＧＢＲベアラにおけるＲＬＦを検出すると、ＧＢＲ切断用再接続待ちタイマー（ＡＳ-ＧＢＲ開放タイマー）Ｔ３１１を起動するように構成されている。
【０１２９】
一方、ステップＳ８０３において、移動局ＵＥのＮＡＳレイヤ機能１２は、ステップＳ８０２における移動局ＵＥのＡＳレイヤ機能１１からの通知に応じて、ＮＡＳ-ＧＢＲ開放タイマーを起動するように構成されている。
【０１３０】
ステップＳ８０４において、移動局ＵＥのＡＳレイヤ機能１１は、再接続先セルを発見すると、かかる再接続先セルに対する再接続処理を開始し、移動局ＵＥのＮＡＳレイヤ機能１２に対して、ＮＡＳ-ＧＢＲ開放タイマー停止指示を送信する。
【０１３１】
ステップＳ８０５において、移動局ＵＥのＮＡＳレイヤ機能１２は、受信したＮＡＳ-ＧＢＲ開放タイマー停止指示に応じて、ＮＡＳ-ＧＢＲ開放タイマーを一時停止する。
【０１３２】
ここで、ステップＳ８０６において、移動局ＵＥのＡＳレイヤ機能１１は、上述の再接続処理に成功し、ＥＰＳベアラの再設定に成功した場合には、移動局ＵＥのＮＡＳレイヤ機能１２に対して、ＮＡＳ-ＧＢＲ開放タイマーリセット指示を送信する。
【０１３３】
ステップＳ８０７において、移動局ＵＥのＮＡＳレイヤ機能１２は、受信したＮＡＳ-ＧＢＲ開放タイマーリセット指示に応じて、ＮＡＳ-ＧＢＲ開放タイマーをリセット（完全停止）する。
【０１３４】
なお、ステップＳ８０６において、移動局ＵＥのＡＳレイヤ機能１１は、上述の再接続処理に成功したが、ＥＰＳベアラが再設定されなかった場合には、ＥＰＳベアラをローカルに開放する。
【０１３５】
一方、ステップＳ８０８において、移動局ＵＥのＡＳレイヤ機能１１は、上述の再接続処理に失敗した場合には、移動局ＵＥのＮＡＳレイヤ機能１２に対して、ＮＡＳ-ＧＢＲ開放タイマー再開指示を送信する。
【０１３６】
ステップＳ８０９において、移動局ＵＥのＮＡＳレイヤ機能１２は、受信したＮＡＳ-ＧＢＲ開放タイマー再開指示に応じて、ＮＡＳ-ＧＢＲ開放タイマーを再開する。
【０１３７】
その後、ステップＳ８１０において、移動局ＵＥのＮＡＳレイヤ機能１２は、ＡＳ-ＧＢＲベアラの復旧を検出する前に、ＮＡＳ-ＧＢＲ開放タイマーの満了を検出した場合に、ＮＡＳ-ＧＢＲベアラを開放する。
【０１３８】
ステップＳ８１１において、移動局ＵＥのＡＳレイヤ機能１１は、ＡＳ-ＧＢＲベアラの復旧を検出する前に、ＡＳ  Ｆａｉｌｕｒｅを検出した場合には、ＡＳ-ＧＢＲベアラを開放する。
【０１３９】
本実施形態の第１の特徴は、無線基地局ｅＮｏｄｅＢとの間でＡＳ-ＧＢＲベアラを設定し、移動管理装置ＭＭＥとの間でＮＡＳ-ＧＢＲベアラを設定するように構成されている移動局ＵＥであって、ＡＳ-ＧＢＲベアラにおけるＲＬＦを検出した場合に、ＧＢＲ切断用再接続待ちタイマー（ＡＳ-ＧＢＲ開放タイマー）を起動し、ＡＳ-ＧＢＲベアラの復旧を検出する前に、ＧＢＲ切断用再接続待ちタイマーの満了を検出した場合に、ＡＳベアラ情報を削除するように構成されているＡＳレイヤ機能１１と、ＡＳ-ＧＢＲベアラにおけるＲＬＦを検出した場合に、ＮＡＳ-ＧＢＲベアラ開放タイマーを起動し、ＡＳ-ＧＢＲベアラの復旧を検出する前に、ＮＡＳ-ＧＢＲベアラ開放タイマーの満了を検出した場合に、ＮＡＳベアラ情報を削除するように構成されているＮＡＳレイヤ機能１２とを具備することを要旨とする。
【０１４０】
本実施形態の第１の特徴において、ＡＳレイヤ機能１１は、ＡＳベアラにおけるＲＬＦを検出した後、再接続先セルを発見した場合に、ＮＡＳレイヤ機能１２に対して、ＮＡＳ-ＧＢＲ開放タイマー停止指示（停止指示）を送信するように構成されており、ＮＡＳレイヤ機能１２は、ＮＡＳ-ＧＢＲ開放タイマーの満了を検出する前に、ＮＡＳ-ＧＢＲ開放タイマー停止指示を受信した場合に、ＮＡＳ-ＧＢＲ開放タイマー停止指示を一時停止するように構成されていてもよい。
【０１４１】
本実施形態の第１の特徴において、ＡＳレイヤ機能１１は、ＡＳベアラにおけるＲＬＦを検出し、再接続先セルを発見した後に、かかる再接続先セルへの再接続に失敗した場合に、ＮＡＳレイヤ機能１２に対して、ＮＡＳ-ＧＢＲ開放タイマー再開指示（再開指示）を送信するように構成されており、ＮＡＳレイヤ機能１２は、ＮＡＳ-ＧＢＲ開放タイマーの満了を検出する前に、ＮＡＳ-ＧＢＲ開放タイマー再開指示を受信した場合に、ＮＡＳ-ＧＢＲ開放タイマーを再開するように構成されていてもよい。
【０１４２】
本実施形態の第１の特徴において、ＡＳレイヤ機能１１は、ＡＳベアラにおけるＲＬＦを検出し、再接続先セルを発見した後に、かかる再接続先セルへの再接続に成功した場合に、ＮＡＳレイヤ機能１２に対して、ＮＡＳ-ＧＢＲ開放タイマーリセット指示（完全停止）を送信するように構成されており、ＮＡＳレイヤ機能１２は、ＮＡＳ-ＧＢＲ開放タイマーの満了を検出する前に、ＮＡＳ-ＧＢＲ開放タイマーリセット指示を受信した場合に、ＮＡＳ-ＧＢＲ開放タイマーをリセットするように構成されていてもよい。
【０１４３】
なお、上述の無線基地局ｅＮｏｄｅＢや移動局ＵＥや移動管理装置ＭＭＥやゲートウェイ装置Ｓ-ＧＷの動作は、ハードウェアによって実施されてもよいし、プロセッサによって実行されるソフトウェアモジュールによって実施されてもよいし、両者の組み合わせによって実施されてもよい。
【０１４４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１４５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮｏｄｅＢや移動局ＵＥや移動管理装置ＭＭＥやゲートウェイ装置Ｓ-ＧＷ内に設けられていてもよい。また、かかる記憶媒体及びプロセッサは、ディスクリートコンポーネントとして無線基地局ｅＮｏｄｅＢや移動局ＵＥや移動管理装置ＭＭＥやゲートウェイ装置Ｓ-ＧＷ内に設けられていてもよい。
【０１４６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１４７】
Ｓ-ＧＷ…ゲートウェイ装置
ＵＥ…移動局
１１…ＡＳレイヤ機能
１２…ＮＡＳレイヤ機能
１３…ＡＰＬレイヤ機能
ＭＭＥ…移動管理装置
２１…ＵＥインターフェイス
２２…ｅＮｏｄｅＢインターフェイス
２３…Ｓ-ＧＷインターフェイス
２４…ＮＡＳ-ＧＢＲベアラ開放タイマー決定部
ｅＮｏｄｅＢ…無線基地局
３１…ＭＭＥインターフェイス
３２…ＵＥインターフェイス
３３…ＧＢＲ切断用再接続待ちタイマー決定部
【図１】
2011066466.tif 000003
【図２】
2011066466.tif 000004
【図３】
2011066466.tif 000005
【図４】
2011066466.tif 000006
【図５】
2011066466.tif 000007
【図６】
2011066466.tif 000008
【図７】
2011066466.tif 000009
【図８】
2011066466.tif 000010
【図９】
2011066466.tif 000011
【図１０】
2011066466.tif 000012
【図１１】
2011066466.tif 000013
【図１２】
2011066466.tif 000014
【図１３】
2011066466.tif 000015
【図１４】
2011066466.tif 000016
【図１５】
2011066466.tif 000017